(57)【要約】【課題】小型化を図ることができるとともに高い放熱特性を得ることができる照明器具を提供する。【解決手段】照明器具１０は、光源を収容した器具本体１１と、器具本体１１に取り付けられた枠１２と、器具本体１１の天面の一部分を介して取り付けられ、光源への給電を行うための電源装置１３とを備える。【選択図】図１
2011187245.tif 000002
【特許請求の範囲】
【請求項１】
光源を収容した器具本体と、
前記器具本体に取り付けられた枠と、
前記器具本体の天面の一部分を介して取り付けられ、前記光源への給電を行うための電源装置とを備える照明器具。
【請求項２】
請求項１に記載の照明器具において、
前記器具本体が、前記天面の残りの部分に放熱フィンを有する照明器具。
【請求項３】
請求項２に記載の照明器具において、
前記放熱フィンが、傾斜状に切除されている照明器具。
【請求項４】
請求項１乃至請求項３のいずれかに記載の照明器具において、
前記器具本体が、前記電源装置との間にスペーサを介在させている照明器具。
【請求項５】
請求項１乃至請求項４のいずれかに記載の照明器具において、
前記電源装置が、下面に放熱フィンを有する照明器具。
【請求項６】
請求項１乃至請求項５のいずれかに記載の照明器具において、
前記電源装置が、側面に放熱フィンを有する照明器具。
【発明の詳細な説明】
【技術分野】
【０００１】
本発明は、例えばＬＥＤを光源として天井施工面に埋設されるダウンライトに適用される照明器具に関する。
【背景技術】
【０００２】
従来より器具本体の外底面にアーム部を介して器具本体の外側領域に位置するように電源装置を取り付けた照明器具が知られている（例えば、特許文献１参照）。
【先行技術文献】
【特許文献】
【０００３】
【特許文献１】特開２００８−１５９４５５号公報（図１、段落番号００２３）
【発明の概要】
【発明が解決しようとする課題】
【０００４】
天井施工面に埋設されるダウンライト用の照明器具は、天井施工面に形成する取付穴を大きくする必要がないように小型化が望まれている。また、このような照明器具は、天井施工面内の密閉空間で使用されるために高い放熱特性が求められている。
しかしながら、特許文献１の照明器具は、アーム部が放熱フィンに結合されているために電源装置の放熱を良好にすることはできるものの、電源装置が器具本体の外側に大きく飛び出して配置されているために全体の外形が大きくなる。
一方、放熱フィンを有する器具本体の上面に電源装置が器具本体に収まるように取り付けられた照明器具が提案されている。
しかしながら、このような従来の照明器具では、器具本体の上面に電源装置が器具本体に収まるように取り付けられているために器具本体に放熱フィンを配置する際の自由度が低くなって高い放熱特性を得ることが難しい。
【０００５】
本発明は、前述した課題を解決するためになされたものであり、その目的は、小型化を図ることができるとともに高い放熱特性を得ることができる照明器具を提供することにある。
【課題を解決するための手段】
【０００６】
本発明に係る照明器具は、光源を収容した器具本体と、器具本体に取り付けられた枠と、器具本体の天面の一部分を介して取り付けられ、光源への給電を行うための電源装置とを備える。
【０００７】
本発明に係る照明器具は、器具本体が、天面の残りの部分に放熱フィンを有する。
【０００８】
本発明に係る照明器具は、放熱フィンが、傾斜状に切除されている。
【０００９】
本発明に係る照明器具は、器具本体が、電源装置との間にスペーサを介在させている。
【００１０】
本発明に係る照明器具は、電源装置が、下面に放熱フィンを有する。
【００１１】
本発明に係る照明器具は、電源装置が、側面に放熱フィンを有する。
【発明の効果】
【００１２】
本発明の照明器具によれば、小型化を図ることができるとともに高い放熱特性を得ることができるという効果を有する。
【図面の簡単な説明】
【００１３】
【図１】本発明に係る第１実施形態の照明器具の斜め上方から視た外観斜視図
【図２】図１の照明器具における器具本体の外観斜視図
【図３】本発明に係る第２実施形態の照明器具の側面図
【図４】図３の照明器具における器具本体の外観斜視図
【図５】本発明に係る第３実施形態の照明器具の斜め上方から視た外観斜視図
【図６】図５の照明器具における電源装置の斜め下方から視た外観斜視図
【発明を実施するための形態】
【００１４】
以下、本発明の複数の実施形態に係る照明器具について図面を参照して説明する。
（第１実施形態）
図１に示すように、本発明の第１実施形態である照明器具１０は、器具本体１１と、器具本体１１に収容された光源であるＬＥＤ発光部（不図示）と、枠１２と、電源装置１３とを備えて天井施工面（不図示）に有する取付穴（不図示）に埋設されるダウンライトである。
【００１５】
器具本体１１は、絶縁性を有する硬質な樹脂材料を用いて天板１４と周板１５とを有する円筒形状に形成されている。器具本体１１には、天板１４の上面に複数の放熱フィン１６が上方に向けて突出形成されている。放熱フィン１６は、天板１４のほぼ半分の領域に相当していて器具本体１１の軸方向に向けて上端部寄りまでの間に突出された第１放熱フィン部１７と、天板１４の残りの半分に相当していて器具本体１１の軸方向に上端部まで突出された第２放熱フィン部１８と、を有する。そして、第１放熱フィン部１７の上端面には、器具本体１１の軸方向に直交する平面を有する電源装置取付部１９が形成されている。第２放熱フィン部１８は、上端部寄りに傾斜状に切除されたカット部２０を有する。
【００１６】
ＬＥＤ発光部は、器具本体１１の天板１４の下面に周板１５に囲まれて取り付けられており、複数のＬＥＤチップ（不図示）が回路基板（不図示）に実装されている。ＬＥＤチップは主光軸を下方に向けて配置されている。枠１２は、器具本体１１と同等の材料を用いて器具本体１１の外径寸法と同一の外径寸法を有する円筒形状に形成されている。枠１２は器具本体１１の天板１４からネジ２１がネジ込まれることにより器具本体１１に一体的に組み立てられている。枠１２の内周部には反射板が設けられても良い。枠１２の外周部には複数の金属製の取付バネ２２が取り付けられている。取付バネ２２は器具本体１１が天井施工面の取付穴に挿入される際に器具本体１１の軸方向に弾性変形される。そして、取付バネ２２は器具本体１１が取付穴に挿入された後に水平方向に弾性復元されて天井施工面の上面に係止されることにより器具本体１１を天井施工面に支持する。
【００１７】
電源装置１３は、天板２３と二対の側板２４と底板２５と有する直方体形状に形成されており、商用電源をＬＥＤ発光部用の直流電源に変換するための電気部品を内蔵している。電源装置１３は、端部に取り付けられた電源端子台２６を通じて外部の商用電源に電気的に接続されているとともにＬＥＤ発光部の回路基板に有するプリント回路に電気的に接続されている。電源装置１３は高さ寸法Ｌ１、幅寸法Ｌ２、長さ寸法Ｌ３を有する。電源装置１３は、天板２３の端部から器具本体１１の第２放熱フィン部１８の上端部に有するネジ孔（図２参照）２７にネジ２８がネジ込まれることにより、底板２５が電源装置取付部１９に当接して組付けられている。
【００１８】
図２に示すように、器具本体１１は、第２放熱フィン部１８の上端部にネジ孔２７を有するとともに、天板１４に、ネジ２１をネジ込むためのネジ孔２９を有する。器具本体１１は、電源装置取付部１９が、電源装置１３の高さ寸法Ｌ１にほぼ等しい高さ寸法Ｌ４を有するとともに、電源装置１３の幅寸法Ｌ２にほぼ等しい幅寸法Ｌ５を有し、電源装置１３の長さ寸法Ｌ３よりも十分に短い長さ寸法Ｌ６を有する。
【００１９】
このような照明器具１０は、器具本体１１のネジ孔２９を通じて枠１２にネジ２１がネジ込まれることにより枠１２が器具本体１１に一体的に組付けられる。その後に、電源装置１３の天板２３の端部から器具本体１１の第２放熱フィン部１８の上端部のネジ孔２７にネジ２８がネジ込まれることにより電源装置１３が器具本体１１の電源装置取付部１９に取り付けられる。このとき、器具本体１１には、放熱フィン１６のうちの天板１４のほぼ半分の領域に相当していて電源装置１３の幅寸法Ｌ２にほぼ等しい幅寸法Ｌ５を有して第２放熱フィン部１８の側部に位置する電源装置取付部１９に電源装置１３が取り付けられている。そのため、器具本体１１は、第２放熱フィン部１８を電源装置１３の側板２４に熱的に接続させるとともに第１放熱フィン部１７を電源装置１３の底板２５に熱的に接続させることになる。
【００２０】
従って、この第１実施形態の照明器具１０においては、天板１４の一部分であるほぼ半分の領域に相当する電源装置取付部１９に電源装置１３が取り付けられている。
これにより、この第１実施形態の照明器具１０においては、器具本体の外底面にアーム部を介して器具本体の外側領域に位置するように電源装置が取り付けられた従来のものと比べて、電源装置１３が器具本体１１の外側に大きく飛び出すことがないので全体の小型化を図ることができる。
【００２１】
また、この第１実施形態の照明器具１０においては、天板１４の一部分であるほぼ半分の領域に相当する電源装置取付部１９に電源装置１３が取り付けられている。
これにより、この第１実施形態の照明器具１０においては、器具本体の上面に電源装置が取り付けられた従来のものと比べて、器具本体１１に放熱フィン１６を配置する際の自由度が高くなって高い放熱特性を設定することができる。
【００２２】
そして、この第１実施形態の照明器具１０においては、電源装置取付部１９の周囲に第１放熱フィン部１７および第２放熱フィン部１８が配置されている。
これにより、この第１実施形態の照明器具１０においては、電源装置１３の周囲全体に放熱フィン１６を熱的に接続させることにより高効率な放熱特性を得ることができる。
【００２３】
更に、この第１実施形態の照明器具１０においては、第２放熱フィン部１８の上端部寄りに、傾斜状に切除されたカット部２０を有する。
これにより、この第１実施形態の照明器具１０においては、第２放熱フィン部１８の放熱面積が拡大されるために放熱特性の向上を図ることができるとともに、天井施工面への施工に際して器具本体１１の上端面が天井材に干渉しないために施工性の向上を図ることができる。
【００２４】
加えて、この第１実施形態の照明器具１０においては、第１放熱フィン部１７および第２放熱フィン部１８に熱的に接続される電源装置取付部１９が、電源装置１３の高さ寸法Ｌ１にほぼ等しい高さ寸法Ｌ４を有する。
これにより、この第１実施形態の照明器具１０においては、電源装置１３の上端部から上方に向けて放熱フィン１６が突出することなく自由度の高い放熱フィン１６を配置することができる。
【００２５】
更に、この第１実施形態の照明器具１０においては、第１放熱フィン部１７および第２放熱フィン部１８に熱的に接続される電源装置取付部１９が、電源装置１３の幅寸法Ｌ２にほぼ等しい幅寸法Ｌ５を有する。
これにより、この第１実施形態の照明器具１０においては、電源装置１３の幅方向に放熱フィン１６が突出することなく自由度の高い放熱フィン１６を配置することができる。
【００２６】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
図３、図４に示すように、本発明の第２実施形態の照明器具４０は、天板１４の上面において天板１４のほぼ半分に相当する領域に電源装置取付部４２を設けた器具本体４１が適用されている。そして、電源装置取付部４２にスペーサ４３が形成されている。スペーサ４３は天板１４の電源装置取付部４２上に無端状で予め定められた高さ寸法を有するリブ状に形成されている。そのため、電源装置取付部４２に電源装置１３を取り付けた際に、電源装置１３の底板２５と器具本体４１の天板１４との間に空間が形成される。なお、スペーサ４３としては、図示したリブ形状に代えてオーリングや座金状の間隙部材を適用してもよい。
【００２７】
従って、この第２実施形態の照明器具４０においては、スペーサ４３により、電源装置１３の底板２５と器具本体４１の天板１４との間に空間が形成される。
これにより、この第２実施形態の照明器具４０においては、ＬＥＤ発光部からの熱が電源装置１３に直接的に伝わることがないとともに電源装置１３からの熱が器具本体４１に直接的に伝わることがないので電源装置１３および器具本体４１に対する熱の影響を低減することができる。
【００２８】
（第３実施形態）
次に、本発明の第３実施形態の照明器具について説明する。
図５、図６に示すように、本発明の第３実施形態の照明器具５０は、長辺側の一対の側板２４に放熱フィン５２をそれぞれ有するとともに底板２５に放熱フィン５３を有する電源装置５１が適用されている。
【００２９】
従って、この第３実施形態の照明器具５０においては、一対の側板２４の放熱フィン５２を介して電源装置５１の放熱がなされる。
これにより、この第３実施形態の照明器具５０においては、電源装置５１の側方における効率的な放熱を行って電源装置５１の放熱特性を向上させることができる。
【００３０】
また、この第３実施形態の照明器具５０においては、底板２５の放熱フィン５３を介して電源装置５１の放熱がなされる。
これにより、この第３実施形態の照明器具５０においては、電源装置５１の下方における効率的な放熱を行って電源装置５１の放熱特性を向上させることができる。
【００３１】
なお、各実施形態で使用した器具本体、枠等は例示したものに限定するものではなく適宜変更が可能である。
【符号の説明】
【００３２】
１０、４０、５０  照明器具
１１、４１  器具本体
１２  枠
１３、５１  電源装置
１６、５２、５３  放熱フィン
１７  第１放熱フィン部（放熱フィン）
１８  第２放熱フィン部（放熱フィン）
４３  スペーサ
【図１】
2011187245.tif 000003
【図２】
2011187245.tif 000004
【図３】
2011187245.tif 000005
【図４】
2011187245.tif 000006
【図５】
2011187245.tif 000007
【図６】
2011187245.tif 000008